(57)【要約】      （修正有）【課題】ステータの導線の引出線およびコモン線の緩みを、容易に防止すること。【解決手段】モータのステータは、ステータコアの複数のティースに巻回されることにより、複数のコイルを形成する第１導線６１、第２導線６２および第３導線６３を備える。第１導線６１、第２導線６２および第３導線６３におけるそれぞれの一方の端部である第１引出線７１１、第２引出線７１２および第３引出線７１３のそれぞれが、スロットを斜めに渡る導線である斜行部と交差し、斜行部とコアバックの間に配置されている。第１導線６１、第２導線６２および第３導線６３におけるそれぞれの他方の端部である第１コモン線７２１、第２コモン線７２２および第３コモン線７２３の少なくともいずれかが、他の１つのスロットを斜めに渡る斜行部と交差し、斜行部とコアバックの間に配置されている。【選択図】図７
2010239695.tif 000002
【特許請求の範囲】
【請求項１】
静止部と、
軸受機構と、
前記軸受機構にて前記静止部の上方にて支持され、前記静止部に対して回転可能に支持される回転部と、
を備え、
前記静止部が、
ステータと、
前記ステータの下方に配置された回路基板と、
を備え、
前記ステータが、
環状のコアバックおよび前記コアバックから径方向外方または内方へと突出する複数のティースを有するステータコアと、
前記複数のティースに巻回されることにより、複数のコイルを形成する第１導線、第２導線および第３導線と、
を備え、
前記第１導線、前記第２導線および前記第３導線におけるそれぞれの一方の端部である第１引出線、第２引出線および第３引出線が、３つのスロットから下方へとそれぞれ引き出されて前記回路基板に接続され、
前記第１引出線、前記第２引出線および前記第３引出線のそれぞれが、スロットを斜めに渡る導線である斜行部と交差し、前記斜行部と前記コアバックの間に配置されており、
前記第１導線、前記第２導線および前記第３導線におけるそれぞれの他方の端部である第１コモン線、第２コモン線および第３コモン線が、他の１つのスロットから下方へと引き出され、
前記第１コモン線、前記第２コモン線および前記第３コモン線の少なくともいずれかが、前記他の１つのスロットを斜めに渡る斜行部と交差し、前記斜行部と前記コアバックの間に配置されているモータ。
【請求項２】
前記第１コモン線、前記第２コモン線および前記第３コモン線が、前記他の１つのスロット内の前記斜行部と交差する位置の下方で撚り合わされている請求項１に記載のモータ。
【請求項３】
前記第１導線および前記第２導線と、前記第３導線とが交差する位置において、前記第３導線が、前記第１導線および前記第２導線のいずれよりもティースの先端側にあり、
前記他の１つのスロットを斜めに渡る前記斜行部が、前記第３導線の一部であり、
前記第１コモン線および前記第２コモン線が、前記斜行部と交差し前記斜行部と前記コアバックの間に配置されている請求項１または２に記載のモータ。
【請求項４】
前記第１導線および前記第２導線と、前記第３導線との交差位置において、前記第３導線が、前記第１導線および前記第２導線のいずれよりも前記ステータコアから離れており、
前記第３引出線から連続する導線が、前記第３引出線から前記第３コモン線へと向かう巻線進行方向とは反対側のティースに１回巻回されてから、前記第３引出線が位置するスロットを斜めに渡る斜行部により、前記第３引出線が前記斜行部と前記コアバックの間に配置されている請求項１ないし３のいずれかに記載のモータ。
【請求項５】
前記第１引出線、前記第２引出線および前記第３引出線が引き出される前記３つのスロットが、周方向に隣接して並ぶ請求項１ないし４のいずれかに記載のモータ。
【請求項６】
前記複数のティースの数が９であり、前記複数のティースの間に周方向に第１ないし第９スロットが順番に形成され、
前記第１引出線、前記第２引出線および前記第３引出線が、前記第２スロット、前記第１スロットおよび前記第３スロットからそれぞれ引き出され、
前記第１導線が、前記第２スロットと前記第３スロットとの間のティースに巻回されて前記第３スロットの下側から前記第５スロットの下側へと導かれて前記第５スロット内を上方へと導かれ、前記第５スロットと前記第６スロットとの間のティースに巻回されて前記第６スロットの下側から前記第８スロットの下側へと導かれて前記第８スロット内を上方へと導かれ、前記第８スロットと前記第９スロットとの間のティースに巻回されて前記第９スロットの下側から前記第１コモン線が下方へと引き出され、
前記第２導線が、前記第１スロットと前記第２スロットとの間のティースに巻回されて前記第２スロットを斜めに渡って前記第２スロットの下側から前記第４スロットの下側へと導かれて前記第４スロット内を上方へと導かれ、前記第４スロットと前記第５スロットとの間のティースに巻回されて前記第５スロットの下側から前記第７スロットの下側へと導かれて前記第７スロット内を上方へと導かれ、前記第７スロットと前記第８スロットとの間のティースに巻回されて前記第８スロットの上側から前記第９スロットの上側へと導かれて前記第９スロット内を下方へと導かれ、前記第９スロットの下側から前記第２コモン線が下方へと引き出され、
前記第３導線が、前記第３スロット内を上方へと導かれ、前記第３スロットの上側から前記第２スロットの上側へと導かれて前記第２スロット内を下方へと導かれ、前記第２スロットの下側から前記第３スロットの下側へと導かれて前記第３スロットを斜めに導かれ、前記第３スロットと前記第４スロットとの間のティースに巻回されて前記第４スロットの下側から前記第６スロットの下側へと導かれて前記第６スロット内を上方へと導かれ、前記第６スロットと前記第７スロットとの間のティースに巻回されて前記第７スロットの下側から前記第９スロットの下側へと導かれて前記第９スロットを斜めに渡り、前記第９スロットと前記第１スロットとの間のティースに巻回されて前記第１スロットを斜めに渡って前記第１スロットの下側から前記第２スロットの下側へと導かれて前記第２スロット内を上方へと導かれ、前記第２スロットの上側から前記第９スロットの上側へと導かれて前記第９スロット内を下方へと導かれ、前記第９スロットの下側から前記第３コモン線が下方へと引き出される請求項４または５に記載のモータ。
【請求項７】
前記複数のティースが前記コアバックから径方向外方へと突出し、
前記静止部が、前記回路基板の下方に位置し、金属にて形成された略板状のベース部をさらに備え、
前記ベース部が、
前記軸受機構が挿入される開口と、
前記開口の縁から前記回路基板よりも高い位置まで前記軸受機構の外側面に沿って立ち上がる軸受取付部と、
を備える請求項１ないし６のいずれかに記載のモータ。
【請求項８】
前記第１引出線、前記第２引出線および前記第３引出線の少なくともいずれかが、前記コアバックの前記側面と非接触である請求項７に記載のモータ。
【請求項９】
前記第１引出線、前記第２引出線および前記第３引出線が、前記コアバックの前記側面と前記複数のティースの先端に外接する円との間において前記回路基板に接続される請求項７または８に記載のモータ。
【請求項１０】
前記第１引出線、前記第２引出線および前記第３引出線が、前記複数のティースの先端に外接する円よりも径方向外側において前記回路基板に接続される請求項７または８に記載のモータ。
【請求項１１】
記録ディスクを回転させる請求項１ないし１０のいずれかに記載のモータと、
前記記録ディスクに対して情報の読み出しおよび／または書き込みを行うアクセス部と、
前記モータおよび前記アクセス部を収容するハウジングと、
を備える記録ディスク駆動装置。
【発明の詳細な説明】
【技術分野】
【０００１】
本発明は、電動式のモータに関する。
【背景技術】
【０００２】
従来より、記録ディスク駆動装置に搭載されるモータとして、３相モータが利用される。３相モータのステータでは、３つの導線によりステータコアの複数のティースにコイルが形成される。このようなステータには、各導線の一方の端部である引出線が回路基板に接続され、他方の端部であるコモン線が１つにまとめられて回路基板に接続されるものがある。ステータコアに巻線を施す際には、引出線およびコモン線が緩むことを防止するために、例えば、作業者が引出線およびコモン線に一定の張力を付与しつつ、これらを回路基板に接続することが行われるが、作業が煩雑となってしまう。
【０００３】
特開２００８−６１３３１号公報に開示される３相駆動モータのモータステータでは、１つの巻き線により形成される複数のコイルの間において、当該巻き線が所定のティースに数回程度巻回され、これにより、巻き線の緩み止めが行われる。
【特許文献１】特開２００８−６１３３１号公報
【発明の概要】
【発明が解決しようとする課題】
【０００４】
ところで、モータでは、引出線およびコモン線が緩むことによる、導線と他の部位との接触や地絡不良を防止するために、引出線およびコモン線を、ステータコアに対して適切に固定する必要がある。一方で、緩み止めは簡単な作業にて容易に行われることが好ましい。
【０００５】
本発明は、上記課題に鑑みなされたものであり、ステータの導線の引出線およびコモン線の緩みを、容易に防止することを目的としている。
【課題を解決するための手段】
【０００６】
本発明に係るモータは、静止部と、軸受機構と、前記軸受機構にて前記静止部の上方にて支持され、前記静止部に対して回転可能に支持される回転部と、を備え、前記静止部が、ステータと、前記ステータの下方に配置された回路基板と、を備え、前記ステータが、環状のコアバックおよび前記コアバックから径方向外方または内方へと突出する複数のティースを有するステータコアと、前記複数のティースに巻回されることにより、複数のコイルを形成する第１導線、第２導線および第３導線と、を備え、前記第１導線、前記第２導線および前記第３導線におけるそれぞれの一方の端部である第１引出線、第２引出線および第３引出線が、３つのスロットから下方へとそれぞれ引き出されて前記回路基板に接続され、前記第１引出線、前記第２引出線および前記第３引出線のそれぞれが、スロットを斜めに渡る導線である斜行部と交差し、前記斜行部と前記コアバックの間に配置されており、前記第１導線、前記第２導線および前記第３導線におけるそれぞれの他方の端部である第１コモン線、第２コモン線および第３コモン線が、他の１つのスロットから下方へと引き出され、前記第１コモン線、前記第２コモン線および前記第３コモン線の少なくともいずれかが、前記他の１つのスロットを斜めに渡る斜行部と交差し前記斜行部と前記コアバックの間に配置されている。
【発明の効果】
【０００７】
本発明によれば、ステータの３つの引出線および少なくとも１つのコモン線の緩みを容易に防止することができる。
【図面の簡単な説明】
【０００８】
【図１】図１は、記録ディスク駆動装置の断面図である。
【図２】図２は、モータの断面図である。
【図３】図３は、ステータコアの平面図である。
【図４】図４は、コイルが形成されるティースの位置を示す図である。
【図５】図５は、コイルが形成されるティースの位置を示す図である。
【図６】図６は、コイルが形成されるティースの位置を示す図である。
【図７】図７は、コイルが形成されるティースの位置を示す図である。
【図８】図８は、ステータの側面図である。
【図９】図９は、ステータの側面図である。
【図１０】図１０は、他の例に係るモータのステータを示す図である。
【発明を実施するための形態】
【０００９】
本明細書では、図中の上側を単に「上側」と呼び、下側を単に「下側」と呼ぶが、「上側」および「下側」という表現は、必ずしも重力方向と一致する必要はない。
【００１０】
図１は、本発明の一の実施形態に係るモータを備える記録ディスク駆動装置１０の縦断面図である。記録ディスク駆動装置１０はモータ１、アクセス部１１およびこれらを内部に収容する箱状のハウジング１２を備える。モータ１は３相モータである。アクセス部１１はヘッド１１１およびヘッド移動機構１１２を備える。ヘッド１１１は記録ディスク９に対する情報の読み出しおよび／または書き込みを行う光ピックアップ機構である。ヘッド移動機構１１２はヘッド１１１をモータ１および記録ディスク９に対して移動する。ヘッド１１１は、記録ディスク９の下面に向けてレーザ光を出射する光出射部と、記録ディスク９からの反射光を受光する受光部とを有する。ハウジング１２は記録ディスク９の取付時および取出時に開閉可能な蓋部１２１を有する。
【００１１】
記録ディスク駆動装置１０では、モータ１の上側に取り付けられたチャッキング装置１３が、記録ディスク９の中心孔９１に嵌入されて、記録ディスク９が固定される。モータ１の駆動に伴い、記録ディスク９が回転し、ヘッド移動機構１１２がヘッド１１１を所要の位置へと移動させることにより、記録ディスク９に対する情報の読み出しおよび／または書き込みがヘッド１１１にて行われる。
【００１２】
図２はモータ１の縦断面図である。モータ１は、回転組立体である回転部２、固定組立体である静止部３および軸受機構４を備える。回転部２は、軸受機構４により静止部３の上方にて静止部３に対して回転可能に支持される。
【００１３】
回転部２は、有蓋略円筒状のカップ部材２１および円環状のロータマグネット２２を有する。ロータマグネット２２は、カップ部材２１の円筒部の内側面に取り付けられる。カップ部材２１の中央には、円筒状のシャフト固定部２３が形成される。軸受機構４のシャフト４１は、シャフト固定部２３に挿入されてカップ部材２１に固定される。
【００１４】
静止部３は略板状のベース部３１、ステータ３２および回路基板３３を備える。回路基板３３はステータ３２の下方に配置される。ベース部３１は金属にて形成され、回路基板３３の下方に位置する。ベース部３１は、軸受機構４が挿入される開口３１１および軸受取付部３１２を備える。軸受取付部３１２は、開口３１１の縁から回路基板３３よりも高い位置まで軸受機構４の外側面に沿って立ち上がる。ベース部３１はプレスにて形成される。軸受取付部３１２は、ベース部３１にバーリング加工を施すことにより形成される。ステータ３２は、ステータコア３２１、ステータコア３２１上に巻回されることにより、複数のコイル３２２を形成する３つの導線を備える。ステータコア３２１は複数の積層鋼板にて形成される。
【００１５】
軸受機構４はシャフト４１、有底円筒状のスリーブ保持部４２、スリーブ４３、円環状の抜止部材４４および円環状のオイルシール４５を備える。シャフト４１の上部にはチャッキング装置１３が固定され、下部の先端には円環状の溝４１１が形成される。スリーブ４３は含油性の多孔質金属体により形成される。
【００１６】
スリーブ保持部４２は円筒部４２１、環状の段差部４２２および底部４２３を有する。段差部４２２では円筒部４２１の下端から中心軸Ｊ１に向かって径が小さくなる。底部４２３は、段差部４２２の下側にてスリーブ保持部４２の下端を閉塞する。円筒部４２１の外側面にはステータ３２が取り付けられる。ステータ３２は、ロータマグネット２２に対して中心軸Ｊ１に垂直な方向に対向する。モータ１の駆動時には、ロータマグネット２２とステータ３２との間にて磁気的作用が生じる。
【００１７】
抜止部材４４は樹脂等の弾性体により形成され、段差部４２２上に載置される。シャフト４１の溝４１１内に、抜止部材４４の内側の端部が位置する。これにより、シャフト４１がスリーブ保持部４２から抜け出ることが防止される。底部４２３の内側には、円板状のスラストプレート４６が設けられる。スラストプレート４６は、シャフト４１の先端に対向する。
【００１８】
モータ１の駆動時には、シャフト４１の先端がスラストプレート４６に当接することにより、シャフト４１がスラスト方向に安定して支持される。さらに、シャフト４１はスリーブ４３により、オイルを介してラジアル方向に支持される。モータ１では、オイルシール４５により、スリーブ保持部４２の外部にオイルが漏出することが防止される。
【００１９】
図３はステータコア３２１の平面図である。ステータコア３２１は環状のコアバック５１および９本のティース５２を有する。ティース５２は、コアバック５１から中心軸Ｊ１を中心とする径方向（以下、単に「径方向」という。）における外方へと突出する。９本のティース５２の間には、中心軸Ｊ１を中心とする周方向（以下、単に「周方向」という。）に並ぶスロット５３が形成される。
【００２０】
図３では、上側のティース５２に番号１を付し、上側のティース５２から反時計回りに、ティース５２に番号２〜９を順番に付している。以下の説明では、各ティース５２を区別するときは、番号１〜９に対応するティース５２を「第１ないし第９ティース５２」とそれぞれ呼ぶ。また、第１ティース５２と第２ティース５２との間のスロット５３に番号１を付し、番号１を付したスロット５３から反時計回りに、各スロット５３に番号２〜９を順番に付している。各スロット５３を区別するときは、番号１〜９に対応するスロット５３を「第１ないし第９スロット５３」とそれぞれ呼ぶ。
【００２１】
次に、ステータコア３２１に巻線を施す作業について説明する。図４ないし図６はそれぞれ、ステータ３２の３つの導線である第１導線６１、第２導線６２および第３導線６３と、コイル３２２が形成されるティース５２の位置との関係を示す図である。図４ないし図６中の上側の四角に囲まれる１ないし９の番号が図３のスロット５３の番号に対応し、下側の丸に囲まれる１ないし９の番号がティース５２の番号に対応する。ティース５２およびスロット５３は、径方向外側から見た順にて配列している。図７は、第１ないし第３導線６１〜６３と、コイル３２２が形成されるティース５２の位置との関係を上下に並べて示す図である。
【００２２】
ステータコア３２１に巻線が施される際には、まず、図４に示すように、第１導線６１が、第２スロット５３と第３スロット５３との間の第３ティース５２に時計回りに巻回され、第３ティース５２にコイル３２２が形成される。なお、実際には、コイル３２２における導線の巻回数は、図４に示すものよりも多い。図５および図６についても同様である。第１導線６１は、第３スロット５３の下側から第４スロット５３の下側を通って第５スロット５３の下側へと導かれ、第５スロット５３内を上方へと導かれる。第１導線６１は、第５スロット５３と第６スロット５３との間の第６ティース５２に時計回りに巻回され、第６ティース５２にコイル３２２が形成される。
【００２３】
さらに、第１導線６１は、第６スロット５３の下側から第７スロット５３の下側を通って、第８スロット５３の下側へと導かれ、第８スロット５３内を上方へと導かれる。第１導線６１は、第８スロット５３と第９スロット５３との間の第９ティース５２に巻回されて、第９ティース５２にコイル３２２が形成され、第１導線６１は第９スロット５３の下側から下方へと引き出される。第１導線６１では、第２スロット５３から下方へと引き出された第１導線６１の一方の端部が第１引出線７１１となる。第１引出線７１１は、図１の回路基板３３を介して外部電源に接続される。第９スロット５３から下方へと引き出された他方の端部は、第１コモン線７２１となる。
【００２４】
次に、図５に示すように、第２導線６２が、第１スロット５３と第２スロット５３との間の第２ティース５２に時計回りに巻回されて、第２ティース５２にコイル３２２が形成され、第２導線６２は第２スロット５３の下側へと導かれる。このとき、図８に示すように、第２スロット５３内にて、第２導線６２は、図８の左側の第２ティース５２から右側の第３ティース５２へと斜め下方に渡る。以下、導線のうちスロット５３内を斜めに渡る部分を「斜行部」という。図７および図８に示すように、第２スロット５３内の斜行部８１は第１引出線７１１と交差する。第１引出線７１１は、斜行部８１よりも径方向内側に配置されている。
【００２５】
ここで、第１引出線７１１を動かそうとすると、斜行部８１によりその動きが制限される。このとき、第１引出線７１１は、図３および図８に示すコアバック５１の外側面５１１に向かう方向へと押されている状態となっていることが好ましい。ただし、この時点では、第１引出線７１１は、コアバック５１の外側面５１１と接触する場合もあり、非接触となる場合もある。後述の第２引出線７１２、第３引出線７１３、第１コモン線７２１および第２コモン線７２２においても同様である。図８では、図示の都合上、コアバック５１における積層鋼板の境界の図示を省略している。図９においても同様である。なお、モータ１の組み立て後において、第１ないし第３引出線７１１〜７１３および少なくとも１つのコモン線が、斜行部によりコアバック５１の外側面５１１に向かう方向へと押されている状態となっていることが好ましい。
【００２６】
第２導線６２は、図５に示すように、第２スロット５３の下側から第３スロット５３の下側を通って、第４スロット５３の下側へと導かれ、第４スロット５３内を上方へと導かれる。第２導線６２は、第４スロット５３と第５スロット５３との間の第５ティース５２に時計回りに巻回され、第５ティース５２にコイル３２２が形成される。第２導線６２は、第５スロット５３の下側から第６スロット５３の下側を通って、第７スロット５３の下側へと導かれ、第７スロット５３内を上方へと導かれる。第２導線６２は、第７スロット５３と第８スロット５３との間の第８ティース５２に時計回りに巻回され、第８ティース５２にコイル３２２が形成される。
【００２７】
さらに、第２導線６２は、第８スロット５３の上側から第９スロット５３の上側へと導かれて、第９スロット５３内を下方へと導かれ、第９スロット５３の下側から引き出される。第２導線６２では、第１スロット５３から下方へと引き出された第２導線６１の一方の端部が、外部電源に接続される第２引出線７１２となる。また、第９スロット５３から下方へと引き出された他方の端部が、第２コモン線７２２となる。
【００２８】
次に、図６に示すように、第３導線６３は、第３スロット５３内を上方へと導かれ、第３スロット５３の上側から第２スロット５３の上側へと導かれて、第２スロット５３内を下方へと導かれる。第３導線６３は、第２スロット５３の下側から第３スロット５３の下側へと導かれて、第３スロット５３内を上方へと導かれる。このとき、図６および図７に示すように、第３スロット５３に位置する第３導線６３の一方の端部である第３引出線７１３が、第３スロット５３を第３ティース５２から第４ティース５２へと斜め上方に渡る斜行部８２と交差する。第３引出線７１３は、斜行部８２よりも径方向内側に配置されている。
【００２９】
図６に示すように、第３導線６３は、第３スロット５３の上側から第４スロット５３の上側へと導かれ、第３スロット５３と第４スロット５３との間の第４ティース５２に時計回りに巻回されて、第４ティース５２にコイル３２２が形成される。第３導線６３は、第４スロット５３の下側から第５スロット５３の下側を通って、第６スロット５３の下側へと導かれ、第６スロット５３内を上方へと導かれる。第３導線６３は、第６スロット５３と第７スロット５３との間の第７ティース５２に時計回りに巻回され、第７ティース５２にコイル３２２が形成される。
【００３０】
さらに、第３導線６３は、第７スロット５３の下側から第８スロット５３の下側を通って、第９スロット５３の下側へと導かれ、第９スロット５３内を上方へと導かれる。このとき、図９に示すように、第３導線６３は、第９スロット５３内にて、図９の左側の第９ティース５２から右側の第１ティース５２へと斜め上方に渡る。図７および図９に示すように、第９スロット５３内の斜行部８３は、第１および第２コモン線７２１，７２２と第９スロット５３内にて交差する。第１および第２コモン線７２１，７２２は、斜行部８３よりも径方向内側に配置され、斜行部８３によりその動きが制限される。
【００３１】
図６に示すように、第３導線６３は、第９スロット５３と第１スロット５３との間の第１ティース５２に巻回され、第１ティース５２にコイル３２２が形成される。第３導線６３は、第１スロット５３を下方へと導かれる。このとき、図７に示すように、第１スロット５３を斜め下方に渡る第３導線６３の一部である斜行部８４と第２引出線７１２とが交差する。第２引出線７１２は、斜行部８４よりも径方向内側に配置され、斜行部８４によりその動きが制限される。
【００３２】
図６に示すように、第３導線６３は、第１スロット５３の下側から第２スロット５３の下側へと導かれ、第２スロット５３内を上方へと導かれる。第３導線６３は、第２スロット５３の上側から第１スロット５３の上側を通って、第９スロット５３の上側へと導かれ、第９スロット５３内を下方へと導かれて、第９スロット５３の下側から下方へと引き出される。第３導線６３では、第９スロット５３を下方へと引き出された端部が第３コモン線７２３となる。
【００３３】
図７に示すように、ステータ３２では、第１ないし第３導線６１〜６３のそれぞれが、２つおきのティース５２にコイル３２２を形成する。また、第１ないし第３引出線７１１〜７１３は、周方向に隣接して並ぶ３つのスロット５３から引き出される。第１ないし第３コモン線７２１〜７２３は、引出線７１１〜７１３が引き出される３つのスロット５３とは異なる、他の１つのスロット５３から引き出される。
【００３４】
ステータ３２では、余分な巻回を最小限に抑えつつ、コイル３２２が形成される。その結果、インダクタンスのばらつきが、例えば、０．５〜１％程度に低く抑えられる。ステータ３２では、第３導線６３が、ステータコア３２１に最後に巻回された導線であり、第１導線６１および第２導線６２と第３導線６３との交差する全ての位置において、第３導線６３が、第１導線６１および第２導線６２のいずれよりも、図３に示すステータコア３２１のコアバック５１から離れている。なお、交差はコアバック５１の外側面５１１のみならず、上面や下面に形成されてもよい。第３導線６３と他の導線との外側面５１１での交差位置では、第３導線６３がコアバック５１から最も離れ、ティース５２の先端に最も近い。
【００３５】
ステータコア３２１への巻線作業が終了すると、図９に示すように、第９スロット５３内の第１コモン線７２１および第２コモン線７２２が、斜行部８３と交差する交差位置８３１の下方にて、コモン線７２１〜７２３が撚り合わされて接続される。コモン線７２１〜７２３は、交差位置８３１よりも上側まで撚り合わされることはない。
【００３６】
引出線７１１〜７１３およびコモン線７２１〜７２３は、所定の長さに切断され、回路基板３３に接続される。図２に示すように、第１引出線７１１の回路基板３３上の接続位置３３１は、図３に示すコアバック５１の外側面５１１とティース５２の先端に外接する円との間に位置する。なお、ティース５２の先端に外接する円とは、中心軸Ｊ１を中心とし、中心軸Ｊ１からティース５２の先端との間の距離を半径とする円を指す。同様に、第２および第３引出線７１２，７１３並びにコモン線７２１〜７２３の回路基板３３上の接続位置も、コアバック５１の外側面５１１とティース５２の先端に外接する円との間に位置する。これにより、軸受取付部３１２の上部が回路基板３３よりも上方に位置する場合であっても、軸受取付部３１２と引出線７１１〜７１３およびコモン線７２１〜７２３との干渉が低減される。また、引出線７１１〜７１３をこのように回路基板３３に接続することにより、通常、引出線７１１〜７１３はコアバック５１の外側面５１１に対して非接触となり、軸受取付部３１２と引出線７１およびコモン線７２との干渉がさらに低減される。その一方で、引出線７１１〜７１３と導線との交差により導線の浮きが防止される。
【００３７】
以上に説明したように、モータ１では、引出線７１１〜７１３が斜行部８１，８２，８４にてそれらの動きが抑制されるとともに、緩みが容易に防止される。また、第１ないし第３導線６１〜６３がティース５２の根元まで十分に巻回されない場合であっても、引出線７１１〜７１３がステータコア３２１から離れてしまったり、抜けてしまうことが防止される。さらに、第１および第２コモン線７２１，７２２が、斜行部８４にて動きが抑制されるとともに、コモン線７２１〜７２３が撚り合わされることにより、コモン線７２１〜７２３の緩みが容易に防止され、動きが抑制される。
【００３８】
モータ１では、第１ないし第３導線６１〜６３が緩むことが防止されることにより、導線が回転部２や金属にて形成された軸受取付部３１２等のモータ１の他の部位に接触することが防止される。その結果、地絡不良も防止される。また、コモン線７２１〜７２３が撚り合わされることにより、コモン線７２１〜７２３の緩みがより確実に防止される。ステータ３２では、引出線７１１〜７１３およびコモン線７２１〜７２３が隣のスロット５３に紛れ込むことがないため、引出線７１１〜７１３およびコモン線７２１〜７２３が、
回路基板３３の誤った位置に接続されることが防止される。
【００３９】
第３導線６３では、第３引出線７１３から連続する導線が、周方向において第３引出線７１３から第３コモン線７２３へと向かう方向である巻線進行方向とは反対側の第２ティース５２に１回巻回されてから、第３引出線７１３が位置する第３スロット５３を斜めに渡る。これにより、第３スロット５３から下方へと引き出された第３引出線７１３が、容易に固定される。
【００４０】
引出線７１１〜７１３は、周方向に隣接して並ぶ３つのスロットから引き出されるため、引出線７１１〜７１３と回路基板３３との接続が容易に行われる。なお、引出線７１１〜７１３およびコモン線７２１〜７２３は周方向に隣接して並ぶ４つのスロットから引き出されるため、引出線７１１〜７１３およびコモン線７２１〜７２３と回路基板３３との接続も容易に行われる。
【００４１】
図１０はモータの他の例を示す図である。モータでは、第１引出線７１１が、ステータコア３２１のティース５２の先端に外接する円よりも径方向外側において、回路基板３３の接続位置３３２に接続される。このため、第１引出線７１１が軸受取付部３１２に接触することが確実に防止される。さらに、第１引出線７１１と回路基板３３との接続がスロット５３の外にて容易に行われる。第２引出線７１２および第３引出線７１３も同様に、ティース５２の先端に外接する円よりも径方向外側において回路基板３３に接続される。また、コモン線７２は撚り合わされた状態とされて、ティース５２の径方向外側にて回路基板３３に接続される。
【００４２】
図１０に示すモータのステータ３２においても、図７と同様に、スロット５３を斜めに渡る斜行部により、引出線７１１〜７１３の動きが抑制される。また、図８と同様に、第１および第２コモン線７２１，７２２の動きが抑制される状態で、コモン線７２１〜７２３が撚り合わされる。
【００４３】
以上、本発明の実施形態について説明したが、本発明は上記実施形態に限定されるものではなく、様々な変更が可能である。例えば、コモン線７２１〜７２３の少なくともいずれかが、斜行部８３によりその動きが抑制されるのみでよい。これにより、コモン線７２１〜７２３が撚り合わされることにより、または、他の方法で結合されることにより、コモン線７２１〜７２３の動きを抑制することが可能である。また、引出線７１１〜７１３の少なくともいずれかが、コアバック５１の外側面５１１と非接触とされるのみでもよい。
【００４４】
第３引出線７１３の緩み止めをより確実に行うために、第３ティース５２に、第３導線６３がさらに数回巻回されてもよい。ステータコア３２１に巻線を施す手法は、スロット数が６、１２等のステータコアに適用されてもよく、ティースが径方向内方へと突出するステータコアに適用されてもよい。この場合、引出線やコモン線は、斜行部によりその動きが抑制される。さらに、当該手法は、回路基板にセンサが設けられてコモン線が回路基板に接続されないタイプのモータに対しても適用可能である。モータ１は、ハードディスク駆動装置等の他の記録ディスク駆動装置や他の電子機器に搭載されてもよい。
【産業上の利用可能性】
【００４５】
本発明は、記録ディスク駆動装置のモータとして利用可能であり、記録ディスク駆動装置以外のモータとしても利用可能である。
【符号の説明】
【００４６】
１    モータ
２    回転部
３    静止部
４    軸受機構
９    記録ディスク
１１    アクセス部
１２    ハウジング
３１    ベース部
３２    ステータ
３３    回路基板
５１    コアバック
５２    ティース
５３    スロット
６１    第１導線
６２    第２導線
６３    第３導線
３１１    （ベース部の）開口
３１２    軸受取付部
３２１    ステータコア
３２２    コイル
５１１    （コアバックの）外側面
７１１    第１引出線
７１２    第２引出線
７１３    第３引出線
７２１    第１コモン線
７２２    第２コモン線
７２３    第３コモン線
【図１】
2010239695.tif 000003
【図２】
2010239695.tif 000004
【図３】
2010239695.tif 000005
【図４】
2010239695.tif 000006
【図５】
2010239695.tif 000007
【図６】
2010239695.tif 000008
【図７】
2010239695.tif 000009
【図８】
2010239695.tif 000010
【図９】
2010239695.tif 000011
【図１０】
2010239695.tif 000012